(57)【要約】【課題】かご機器の点検を、安全かつ効率良く行うことのできるダブルデッキエレベーターの提供。【解決手段】昇降路内を昇降するかご枠２と、かご枠内に上下昇降可能に配置された上かご９と、上かご９の下方に配置された下かご１０と、上かご９と下かご１０を互いに上下反対方向にかご枠内で駆動するかご位置調整駆動装置１１とを備え、着床する階床間の上下方向間隔に合わせて上下のかご間の上下方向間隔を変化させるダブルデッキエレベーターにおいて、昇降路壁１ａの所定の高さ位置に固定される梁部材１５ａ、１６ａと、梁部材に支持され、かご枠２の上梁２ａと対向可能となる足場板１５ｂ、１６ｂと、足場板に設けられる手摺り部材１５ｃ、１６ｃとを有する点検台１５、１６を備え、点検台を足場としてかご枠に設置されるかご機器を点検するものである。【選択図】図２
2013086935.tif 000002
【特許請求の範囲】
【請求項１】
昇降路内を昇降するかご枠と、このかご枠内に上下昇降可能に配置された上かごと、前記上かごの下方に配置された下かごと、前記上かごと前記下かごを互いに上下反対方向に前記かご枠内で駆動するかご位置調整駆動装置とを備え、着床する階床間の上下方向間隔に合わせて上下のかご間の上下方向間隔を変化させることのできるダブルデッキエレベーターにおいて、
昇降路壁の所定の高さ位置に固定される梁部材と、この梁部材に支持され、前記かご枠の上梁と対向可能となる足場板と、この足場板に設けられる手摺り部材とを有する点検台とを備え、この点検台を足場として前記かご枠に設置されるかご機器を点検することを特徴としたダブルデッキエレベーター。
【請求項２】
前記足場板には、不使用時には、折り畳まれて前記かご枠とは干渉しない位置に収納され、点検時には、引き出されて前記上梁との間に架け渡される可動式の渡り板が設けられることを特徴とした請求項１記載のダブルデッキエレベーター。
【請求項３】
複数のダブルデッキエレベーターが併設されたものにあって、一方のダブルデッキエレベーターの昇降路側に、他方のダブルデッキエレベーターの前記点検台の少なくとも前記梁部材が配置されることを特徴とした請求項１記載のダブルデッキエレベーター。
【発明の詳細な説明】
【技術分野】
【０００１】
本発明は、上下のかご間の上下方向間隔を調整可能なダブルデッキエレベーターに係り、特にかご機器の点検を行う際に用いられる点検台を備えたダブルデッキエレベーターに関する。
【背景技術】
【０００２】
エレベーター昇降路底部のピット、又は乗かご上から手の届かない位置にある昇降路内壁面に固定された機器（例えば制御盤）を点検する場合に、点検作業者の足場を確保する点検台装置として、従来、不使用時には、昇降路壁面に沿うように折り畳まれて昇降路内を昇降する昇降体とは干渉しない位置に収納され、昇降路内壁面に固定された機器の点検時には、引き出されて点検に際しての足場となる足場板を拡張可能に形成すると共に、足場板の拡張時に、手摺り部材を足場位置の拡張方向に傾倒、延設させることにより、拡張させた足場板に相応して手摺り部材を広い包囲範囲を形成するようにしたものがある（例えば、特許文献１参照）。
【０００３】
ところで、近年、着床する階床間の上下方向間隔に合わせて上下のかご間の上下方向間隔を変化させることのできるダブルデッキエレベーターが提案されている。この種のエレベーターにあっては、かご枠内に、このかご枠内を上下に昇降可能に配置された上かご及び下かごが設置されると共に、上かご及び下かごを駆動するためのかご位置調整駆動装置が設けられており、かご枠は比較的大きな高さ寸法を有すると共に、かご枠には保守点検を要するかご機器が多数設置されている（例えば、特許文献２参照）。
【先行技術文献】
【特許文献】
【０００４】
【特許文献１】特開２０１１−３７６０４号公報（段落番号００１８〜００２７、図６）
【特許文献２】特開２００１−１２２５６５号公報（段落番号００１５〜００１８、図１）
【発明の概要】
【発明が解決しようとする課題】
【０００５】
しかしながら、前述した特許文献１のものは、エレベーターの昇降路内機器の点検時に用いられる点検台装置であり、ダブルデッキエレベーターのかご機器の保守点検に適したものではなかった。
【０００６】
本発明は、前述した従来技術における実状からなされたもので、その目的は、かご機器の点検を、安全かつ効率良く行うことのできるダブルデッキエレベーターを提供することにある。
【課題を解決するための手段】
【０００７】
前記目的を達成するために、本発明は、昇降路内を昇降するかご枠と、このかご枠内に上下昇降可能に配置された上かごと、前記上かごの下方に配置された下かごと、前記上かごと前記下かごを互いに上下反対方向に前記かご枠内で駆動するかご位置調整駆動装置とを備え、着床する階床間の上下方向間隔に合わせて上下のかご間の上下方向間隔を変化させることのできるダブルデッキエレベーターにおいて、昇降路壁の所定の高さ位置に固定される梁部材と、この梁部材に支持され、前記かご枠の上梁と対向可能となる足場板と、この足場板に設けられる手摺り部材とを有する点検台とを備え、この点検台を足場として前記かご枠に設置されるかご機器を点検することを特徴としている。
【０００８】
このように構成した本発明では、ダブルデッキエレベーターのかご枠に設置されるかご機器を点検する場合、まず、かご枠上に作業員が乗り込み、次いで、かご枠を移動させ、点検台の足場板とかご枠とを対向位置として点検台に乗り移る。そして、この点検台を足場としてかご枠に設置されるかご機器を点検する。このように、昇降路に設けた専用の点検台を用いて行うことにより、ダブルデッキエレベーターのかご機器の点検作業を安全かつ効率良く行うことができる。
【０００９】
また、本発明は、前記足場板には、不使用時には、折り畳まれて前記かご枠とは干渉しない位置に収納され、点検時には、引き出されて前記上梁との間に架け渡される可動式の渡り板が設けられることを特徴としている。
【００１０】
このように構成した本発明では、作業員がかご枠上から点検台に乗り移る際、渡り板を引き出し、点検台の足場板とかご枠の上梁との間に架け渡す。これによって、安全に点検台に乗り移ることができる。
【００１１】
さらに、本発明は、複数のダブルデッキエレベーターが併設されたものにあって、一方のダブルデッキエレベーターの昇降路側に、他方のダブルデッキエレベーターの前記点検台の少なくとも前記梁部材が配置されることを特徴としている。
【００１２】
このように構成した本発明では、一方のダブルデッキエレベーターの昇降路側に、他方のダブルデッキエレベーターの点検台の梁部材を配置することで、点検台の設置スペースを確保しつつ、互いの昇降路を近接させることが可能となり、省スペースの併設ダブルデッキエレベーターとすることができる。
【発明の効果】
【００１３】
本発明によれば、ダブルデッキエレベーターのかご機器の点検を、昇降路に設けた専用の点検台を用いて行うことにより、作業を安全かつ効率良く行うことができる。
【図面の簡単な説明】
【００１４】
【図１】本発明のダブルデッキエレベーターの全体概略構成図である。
【図２】本発明に係るダブルデッキエレベーターの第１の実施例を示す側面図である。
【図３】第１の実施例における点検台の側面図である。
【図４】本発明に係るダブルデッキエレベーターの第２の実施例を示す概略上面図である。
【図５】第２の実施例における概略側面図である。
【発明を実施するための形態】
【００１５】
以下、本発明に係るダブルデッキエレベーターの第１の実施例を図に基づき説明する。
【００１６】
ダブルデッキエレベーターは、図１に示すように、昇降路１内を昇降するかご枠２と、一端がかご枠２に連結されてかご枠２を吊持する主索３と、この主索３の他端に連結されて吊持され、昇降路１内を前記かご枠２とは互いに上下反対に昇降するつり合いおもり４と、昇降路１上部の機械室５に設置されるとともに、主索３の中間部が巻き掛けられた主索３を駆動する駆動装置６と、機械室５にあって駆動装置６の近傍に配置され、主索３が巻き掛けられたそらせ車７と、機械室５に配置され、ダブルデッキエレベーターの運転を制御する制御装置８を有している。前記かご枠２内には、このかご枠２内を上下昇降可能に配置された上かご９と、上かご９の下方に配置された下かご１０とが配置されている。
【００１７】
かご枠２は、図２に示すように、上梁２ａ、一対の縦枠２ｂ、２ｃ、下梁２ｅ、中間梁２ｄから形成されており、上梁２ａの上部には防振ゴムを介してかご位置調整駆動装置１１が載置され、このかご位置調整駆動装置１１にはかご位置調整駆動シーブ１１ａが備えられている。そして、索状体であるかご位置調整ロープ１２は、一端が上梁２ａに弾性体１３を介して固定され、上かご９の下部に取り付けられる２つの上かごプーリ９ａ、９ｂに巻き掛けられて上かご９を吊持し、かご位置調整駆動装置１１のかご位置調整駆動シーブ１１ａに巻き掛けられる。その後、かご位置調整ロープ１２は、下かご１０の下部に取り付けられる２つの下かごプーリ１０ａ、１０ｂに巻き掛けられて下かご１０を吊持し、他端が中間梁２ｄに弾性体１４を介して固定される。
【００１８】
このように構成されたダブルデッキエレベーターは、制御装置８によりかご位置調整駆動装置１１を駆動させて、かご位置調整駆動シーブ１１ａを回転させるものであり、このかご位置調整駆動シーブ１１ａの回転により前記かご枠２内で上かご９と下かご１０を互いに上下反対に駆動する。そして、図１に示すように、かご枠２が上方階にある場合は、乗り場階の間隔がＨ１のため、それに合わせて上かご９と下かご１０との間隔を寸法Ｈ１に調整する。下方階の場合は、乗り場階の間隔がＨ２に変わるためそれに合わせて上かご９と下かご１０との間隔をＨ２に変更する。
【００１９】
そして、第１の実施例のダブルデッキエレベーターは、図２に示すように、昇降路１の図中右側に、第１の点検台１５を備えると共に、昇降路１の図中左側の第１の点検台１５の上方に、第２の点検台１６を備えている。
【００２０】
第１の点検台１５は、図２及び図３に示すように、昇降路壁１ａの所定の高さ位置に固定される梁部材１５ａと、この梁部材１５ａに支持され、かご枠２の上梁２ａと対向可能となる足場板１５ｂと、この足場板１５ｂに設けられる手摺り部材１５ｃとを備えている。また、足場板１５ｂには、不使用時には、折り畳まれてかご枠２と干渉しない位置に収納され、点検時には、引き出されて上梁２ａとの間に架け渡される可動式の渡り板１５ｂ１が設けられている。
【００２１】
第２の点検台１６も同様に、図２及び図３に示すように、昇降路壁１ａの所定の高さ位置に固定される梁部材１６ａと、この梁部材１６ａに支持され、かご枠２の上梁２ａと対向可能となる足場板１６ｂと、この足場板１６ｂに設けられる手摺り部材１６ｃとを備えている。また、足場板１６ｂには、不使用時には、折り畳まれてかご枠２と干渉しない位置に収納され、点検時には、引き出されて上梁２ａとの間に架け渡される可動式の渡り板１６ｂ１が設けられている。
【００２２】
第１の実施例にあって、かご枠２に設置されるかご機器を点検する場合、かご枠２上に、例えば３人の作業員が乗り込み、かご枠２を保守モードで上方に移動させ、下方に位置する第１の点検台１５の足場板１５ｂとかご枠２の上梁２ａとを対向位置とする。この状態で可動式の渡り板１５ｂ１を引き出し、足場板１５ｂと上梁２ａとの間に架け渡し、１人の作業員が第１の点検台１５に乗り移る。この第１の点検台１５から作業員は、例えば上かご９及び下かご１０を駆動するために掛け回されるかご位置調整ロープ１２やプーリ９ｂ、１０ｂの点検を行う。
【００２３】
この後、さらに、かご枠２を上昇させ、上方に位置する第２の点検台１６の足場板１６ｂとかご枠２の上梁２ａとを対向位置とする。この状態で可動式の渡り板１６ｂ１を引き出し、この足場板１６ｂと上梁２ａとの間に架け渡し、他の１人の作業員が第２の点検台１６に乗り移る。この状態で作業員は、第２の点検台１６からかご位置調整駆動装置１１の点検を行う。また、この状態でかご枠２を上昇させれば、かご位置調整ロープ１２やプーリ９ａ、１０ａの点検を行うことができる。
【００２４】
本実施例によれば、ダブルデッキエレベーターのかご機器の点検を、昇降路１に設けた専用の点検台１５、１６を用いて行うことにより、作業を安全かつ効率良く行うことができる。
【００２５】
ここで、本発明に係るダブルデッキエレベーターの第２の実施例を図に基づき説明する。
【００２６】
第２の実施例では、図４及び図５に示すように、第１のダブルデッキエレベーターＡと第２のダブルデッキエレベーターＢが併設されており、これらのダブルデッキエレベターＡ、Ｂは、先の図１同様上かご及び下かご（図示せず）を有し、昇降路１Ａ、１Ｂ内を昇降するかご枠２Ａ、２Ｂと、上かご及び下かごを駆動するかご位置調整駆動装置１１Ａ、１１Ｂと、昇降路１Ａ、１Ｂに立設され、かご枠２Ａ、２Ｂを案内するかご枠ガイドレール１６Ａ、１６Ｂとを備えている。
【００２７】
そして、第２の実施例のダブルデッキエレベーターでは、第１のダブルデッキエレベーターＡの昇降路１Ａ側に、第２のダブルデッキエレベーターＢの点検台２６の梁部材２６ａが配置されていると共に、第２のダブルデッキエレベーターＢの昇降路１Ｂ側に、第１のダブルデッキエレベーターＡの点検台２５の梁部材２５ａが配置されている。
【００２８】
点検台２５は、梁部材２５ａに支持され、かご枠２Ａの上梁と対向可能となる足場板２５ｂと、この足場板２５ｂに設けられる手摺り部材２５ｃとを備えている。また、足場板２５ｂには、不使用時には、折り畳まれてかご枠２Ａとは干渉しない位置に収納され、点検時には、引き出されてかご枠２Ａの上梁との間に架け渡される可動式の渡り板２５ｂ１が設けられている。なお、この実施例では、足場板２５ｂ及び手摺り部材２５ｃの一部も第２のダブルデッキエレベーターＢの昇降路１Ｂ側に位置している。
【００２９】
点検台２６は、梁部材２６ａに支持され、かご枠２Ｂの上梁と対向可能となる足場板２６ｂと、この足場板２６ｂに設けられる手摺り部材２６ｃとを備えている。また、足場板２６ｂには、不使用時には、折り畳まれてかご枠２Ｂとは干渉しない位置に収納され、点検時には、引き出されてかご枠２Ｂの上梁との間に架け渡される可動式の渡り板２６ｂ１が設けられている。なお、この実施例では、足場板２６ｂ及び手摺り部材２６ｃの一部も第１のダブルデッキエレベーターＡの昇降路１Ａ側に位置している。また、渡り板２６ｂ１は、図４に示すように、かご枠ガイドレール１６Ｂを避けるように２分割となっている。さらに、前述した渡り板２５ｂ１も図示しないが同様に２分割の構成となっている。
【００３０】
第２の実施例にあって、かご枠２Ａ、２Ｂに設置されるかご機器を点検する場合、図に示すように、下方に位置し、第２のダブルデッキエレベーターＢの昇降路１Ｂに梁部材２５ａが配置される点検台２５から、第１のダブルデッキエレベーターＡのかご位置調整駆動装置１１Ａの点検を行うと共に、上方に位置し、第１のダブルデッキエレベーターＡの昇降路１Ａに梁部材２６ａが配置される点検台２６から、第２のダブルデッキエレベーターＢのかご位置調整駆動装置１１Ｂの点検を行う。
【００３１】
第２の実施例によれば、一方のダブルデッキエレベーターの昇降路側に、他方のダブルデッキエレベーターの点検台の梁部材を配置することで、点検台２５、２６の設置スペースを確保しつつ、互いの昇降路１Ａ、１Ｂを近接させることが可能となり、省スペースの併設ダブルデッキエレベーターとすることができる。
【符号の説明】
【００３２】
１、１Ａ、１Ｂ  昇降路
２、２Ａ、２Ｂ  かご枠
２ａ  上梁
２ｂ、２ｃ  一対の縦枠
２ｄ  中間梁
２ｅ  下梁
３  主索
４  つり合いおもり
５  機械室
６  駆動装置
７  そらせ車
８  制御装置
９  上かご
９ａ、９ｂ  上かごプーリ
１０  下かご
１０ａ、１０ｂ  下かごプーリ
１１、１１Ａ、１１Ｂ  かご位置調整駆動装置
１１ａ  かご位置調整駆動シーブ
１２  かご位置調整ロープ
１３  弾性体
１４  弾性体
１５、１６、２５、２６  点検台
１５ａ、１６ａ、２５ａ、２６ａ  梁部材
１５ｂ、１６ｂ、２５ｂ、２６ｂ  足場板
１５ｂ１、１６ｂ１、２５ｂ１、２６ｂ１  渡り板
１５ｃ、１６ｃ、２５ｃ、２６ｃ  手摺り部材
【図１】
2013086935.tif 000003
【図２】
2013086935.tif 000004
【図３】
2013086935.tif 000005
【図４】
2013086935.tif 000006
【図５】
2013086935.tif 000007